(57)【特許請求の範囲】
【請求項１】
落下傘を有する同軸二層式落下傘において、
前記落下傘は、その中心が同軸心ラインに位置する、内層充気バッグと、外層傘マスクと、を備え、
前記内層充気バッグは、その内部にヘリウムが事前に充填されており、ガイド部を有し、
前記外層傘マスクの内部に充気空間が設けられており、
前記充気空間により前記内層充気バッグが覆われ、
前記外層傘マスクの底部の前記内層充気バッグの前記ガイド部に近接する箇所に底端面が設けられており、
前記底端面は前記内層充気バッグと連接し、
前記底端面には、入気口が複数環設されていることを特徴とする、
同軸二層式落下傘。
【請求項２】
前記底端面はシェイピングリングであり、前記シェイピングリングには、入気口が複数環設されていることを特徴とする、請求項１に記載の同軸二層式落下傘。
【請求項３】
前記内層充気バッグは、その外面に柔軟性付き片が複数環設されており、その底部の端縁に前記ガイド部が設けられており、前記柔軟性付き片の他端は外層傘マスクの内部と連接し、前記ガイド部の底部は規制ロープと連接し、前記規制ロープの他端は、ある重量を有する載せ物と連接することを特徴とする、請求項１に記載の同軸二層式落下傘。
【請求項４】
前記外層傘マスクの上端の軸に対して対称する角部にエア漏れ口が設けられており、前記外層傘マスクの底端に連接ロープが複数環設されており、これらの前記連接ロープは、ある重量を有する載せ物と連接することを特徴とする、請求項１に記載の同軸二層式落下傘。
【請求項５】
前記外層傘マスクの外観は、上から下へ徐々に内側へ傾斜する斜面を有することを特徴とする、請求項１に記載の同軸二層式落下傘。
【請求項６】
前記シェイピングリングは、剛性を有する材料を採用することを特徴とする、請求項２に記載の同軸二層式落下傘。
【請求項７】
前記ガイド部は円弧面であることを特徴とする、請求項３に記載の同軸二層式落下傘。
【請求項８】
前記連接ロープの載せ物に近接する箇所に、固定リングが設けられていることを特徴とする、請求項４に記載の同軸二層式落下傘。
【発明の詳細な説明】
【技術分野】
【０００１】
本発明は、落下傘に関し、特に、十分な高さと落下傘を広げる複雑なステップとを必要とせず、落下傘を完全に広げることが可能な同軸二層式落下傘に関するものである。
【背景技術】
【０００２】
落下傘は、空気抵抗原理を利用する空力減速器であり、連接部材が着陸体と連接し、且つ使用時に、風に抵抗する面積を増加可能なため、着陸体の運動抵抗が増加される。これにより、下降の速度が減速され、運動状態が安定化され、着陸体は安定的で安全に着陸することが可能となる。
【０００３】
しかしながら、従来の落下傘は、着陸時に、十分な着陸高さが必要である。これにより、十分な気流による空気抵抗で落下傘を広げることが可能となる。そして落下傘を広げるステップは極めて複雑であり、専門的な訓練を受けないと、操作することはできない。
【発明の概要】
【発明が解決しようとする課題】
【０００４】
本発明の目的は、十分な高さと落下傘を広げる複雑なステップとを必要とせず、落下傘を完全に広げることが可能な同軸二層式落下傘を提供することにある。
【課題を解決するための手段】
【０００５】
本発明の同軸二層式落下傘は、落下傘を有する同軸二層式落下傘において、落下傘は、その中心が同軸心ラインに位置する、内層充気バッグと、外層傘マスクと、を備え、内層充気バッグは、その内部にヘリウムが事前に充填されており、ガイド部を有し、外層傘マスクの内部に充気空間が設けられており、充気空間により内層充気バッグが覆われ、外層傘マスクの底部の内層充気バッグのガイド部に近接する箇所に底端面が設けられており、底端面は内層充気バッグと連接し、底端面には、入気口が複数環設されていることを特徴とする。
【０００６】
本発明の同軸二層式落下傘は、底端面はシェイピングリングであり、シェイピングリングには、入気口が複数環設されていることを特徴とする。
【０００７】
本発明の同軸二層式落下傘は、内層充気バッグは、その外面に柔軟性付き片が複数環設されており、その底部の端縁にガイド部が設けられており、柔軟性付き片の他端は外層傘マスクの内部と連接し、ガイド部の底部は規制ロープと連接し、規制ロープの他端は、ある重量を有する載せ物と連接することを特徴とする。
【０００８】
本発明の同軸二層式落下傘は、外層傘マスクの上端の軸に対して対称する角部にエア漏れ口が設けられており、外層傘マスクの底端に連接ロープが複数環設されており、これらの連接ロープはある重量を有する載せ物と連接することを特徴とする。
【０００９】
本発明の同軸二層式落下傘は、外層傘マスクの外観は、上から下へ徐々に内側へ傾斜する斜面を有することを特徴とする。
【００１０】
本発明の同軸二層式落下傘は、シェイピングリングは、剛性を有する材料を採用することを特徴とする。
【００１１】
本発明の同軸二層式落下傘は、ガイド部は円弧面であることを特徴とする。
【００１２】
本発明の同軸二層式落下傘は、連接ロープの載せ物に近接する箇所に、固定リングが設けられていることを特徴とする。
【発明の効果】
【００１３】
本発明の同軸二層式落下傘によれば、次のような効果がある。
（１）内層充気バッグ２０にヘリウムが事前に充填されているため、落下傘１０が着陸する前に、内層充気バッグ２０の内部が浮き力Ｆを生じて適当な高さに浮き上がる。これにより、規制ロープ２２と連接ロープ３４とが引かれる。内層充気バッグ２０が適当な高さに浮き上がった後、外層傘マスク３０の充気空間３１の内部に別の浮き力Ｆ１が形成されると同時に、外層傘マスク３０の充気空間３１に気流４０が流れ込んで、落下傘が完全に広げられる。このため、本発明に係る落下傘１０は、特定の高さを必要とせず、落下傘を広げる複雑なステップも必要とせず、外層傘マスク３０を完全に広げることが可能である。
【００１４】
（２）内層充気バッグ２０と外層傘マスク３０とは、その中心が同軸心ラインＨに位置するため、浮き力Ｆ，Ｆ１、大気の気流４０及び空気の圧力が両者の表面に加わるときに、内層充気バッグ２０と外層傘マスク３０との中心を同心にすることが可能である。そして複数の柔軟性付き片２３を増設し、柔軟性付き片２３が内層充気バッグ２０及び外層傘マスク３０と連接するため、内層充気バッグ２０と外層傘マスク３０とは、その中心が同軸心ラインＨに位置し、互いにけん制する効果を有する。これにより、落下傘１０が着陸する過程中に、内層充気バッグ２０と外層傘マスク３０とは、左右前後に大きく揺れず、深刻に傾斜することがない。
【００１５】
（３）外層傘マスク３０の上端の軸に対して対称する角部にエア漏れ口３３が設けられていることにより、気流４０は四つのエア漏れ口３３から均一に流れ出すことが可能である。これにより、着陸時に落下傘１０がより安定的となり、揺れることがない。
【００１６】
（４）外層傘マスク３０の外観は、上から下へ徐々に内側へ傾斜する斜面３００を有する。斜面３００により、大気中の各方向からの気流４０が適当にガイドされて、上方への力が外層傘マスク３０の内外側に加わる。外層傘マスク３０の着陸が更に安定的となる。
【００１７】
（５）シェイピングリング５０は極めて軽量で剛性を有する材料を採用するため、折畳み状態または広げ状態では、シェイピングリング５０が変形しない。シェイピングリング５０に入気口５１が複数設けられているため、大気中の気流４０は、外層傘マスク３０の内部の充気空間３１に均一で効率良く流れ込み可能であり、充気効果が良い。
【図面の簡単な説明】
【００１８】
【図１】本発明に係る同軸二層式落下傘を示す斜視図である。
【図２】本発明に係る同軸二層式落下傘の使用状態を示す上面図（１）である。
【図３】本発明に係る同軸二層式落下傘の使用状態を示す上面図（２）である。
【図４】本発明の別の実施形態に係る同軸二層式落下傘を示す斜視図である。
【図５】本発明の別の実施形態に係る同軸二層式落下傘の使用状態を示す上面図（１）である。
【図６】本発明的別の実施形態に係る同軸二層式落下傘の使用状態を示す上面図（２）である。
【発明を実施するための形態】
【００１９】
以下、本発明の実施の形態を図面に基づいて説明する。本発明の実施形態の図面における各部材の比率は、説明を容易に理解するために示され、実際の比率ではない。
【００２０】
本発明に係る同軸二層式落下傘は、図１に示すように、落下傘１０を有する。落下傘１０は、内層充気バッグ２０と、外層傘マスク３０と、を備える。
【００２１】
内層充気バッグ２０の内部にヘリウムが事前に充填されている。内層充気バッグ２０の外部の底部の端縁に近接する箇所にガイド部２１が設けられている。ガイド部２１は、円弧面２１０であり、その底部が規制ロープ２２と連接する。規制ロープ２２の他端は、ある重量を有する載せ物Ｔと連接する。
【００２２】
外層傘マスク３０は、内層充気バッグ２０を覆う。外層傘マスク３０と内層充気バッグ２０との間に充気空間３１が形成される。外層傘マスク３０の底部の内層充気バッグ２０のガイド部２１に近接する箇所に底端面３２が設けられている。底端面３２は内層充気バッグ２０と連接する。底端面３２に入気口３２０が複数環設されている。一方、外層傘マスク３０の上端の軸に対して対称する角部にエア漏れ口３３が設けられている。外層傘マスク３０の底部に連接ロープ３４が複数環設されている。連接ロープ３４の他端は載せ物Ｔと連接する。連接ロープ３４の載せ物Ｔに近接する箇所に固定リング３４０が設けられている。
【００２３】
本実施形態に係る落下傘１０の操作について、図２及び図３を参照する。落下傘１０の内層充気バッグ２０と外層傘マスク３０との中心は、同軸心ラインＨに位置する。内層充気バッグ２０の内部にヘリウムが事前に充填されているため、浮き力Ｆが生じる。ヘリウムの密度が外部の空気の密度より大幅に小さいため、内層充気バッグ２０の内部による浮き力Ｆにより、内層充気バッグ２０が適当な高さに浮き上がる。
内層充気バッグ２０と外層傘マスク３０との下方と連接する載せ物Ｔが着陸するときには、外部の空気の上方へ流れる気流４０が、外層傘マスク３０の入気口３２０から充気空間３１の内部に流れ込んで別の浮き力Ｆ１を形成する。これにより、外層傘マスク３０の充気空間３１の内部に気流４０が流れ込むため、落下傘が完全に広げられる。このとき、内層充気バッグ２０及び外層傘マスク３０と連接する規制ロープ２２及び連接ロープ３４は、上方へ引かれる。規制ロープ２２が上方へ引かれると、浮き上がる内層充気バッグ２０は、同軸心ラインＨに規制されて揺れることはない。これにより、浮き力Ｆは内層充気バッグ２０の内部の中心により正確に形成される。換言すると、内層充気バッグ２０の内部の浮き力Ｆは、同軸心ラインＨにより正確に加わることができる。これにより、内層充気バッグ２０の受ける力の方向が一致しないことにより深刻に傾斜することを回避可能である。
【００２４】
内層充気バッグ２０がその内部の浮き力Ｆにより浮き上がった後、落下傘１０を高所から下方へ着陸するときに、規制ロープ２２及び連接ロープ３４と連接する載せ物Ｔがある重量を有するため、落下傘１０が着陸するときに、自由落下という現象を呈すると同時に、大気中に、異なる方向に沿う複数の気流４０が発生する。このとき、内層充気バッグ２０の底部の端縁に、円弧面２１０であるガイド部２１が設けられているため、円弧面２１０により、大部分の気流４０がガイドされて、外層傘マスク３０の底端面３２の入気口３２０から、外層傘マスク３０の充気空間３１の内部に流れ込んで、浮き力Ｆ１を形成する。これにより、落下傘を完全に広げることが可能である。
【００２５】
このため、本発明に係る落下傘１０は、特定の高さから落下することを必要とせず、そして落下傘を広げる複雑なステップも必要とせず、外層傘マスク３０を完全に広げることが可能である。一方、外層傘マスク３０の底端と連接する連接ロープ３４は、固定リング３４０を設けることにより規制される。これにより、連接ロープ３４は、均一に広げられることが可能であり、互いに絡まることを回避可能である。
【００２６】
また、図４を参照する。図４は本発明の別の実施形態に係る同軸二層式落下傘を示す斜視図である。本発明に係る落下傘１０は、内層充気バッグ２０と、外層傘マスク３０と、シェイピングリング５０と、を備える。
【００２７】
内層充気バッグ２０の内部にヘリウムが事前に充填されている。内層充気バッグ２０は、その外部に柔軟性付き片２３が複数環設されており、その底部の端縁にガイド部２１が設けられている。ガイド部２２は円弧面２１０である。ガイド部２１の底部に規制ロープ２２が連接されている。規制ロープ２２の他端は、ある重量を有する載せ物Ｔと連接する。
【００２８】
外層傘マスク３０は内層充気バッグ２０を覆う。外層傘マスク３０と内層充気バッグ２０との間に充気空間３１が形成される。外層傘マスク３０の上端の軸に対して対称する角部にエア漏れ口３３が設けられている。外層傘マスク３０の底端に連接ロープ３４が複数環設されている。連接ロープ３４の他端は載せ物Ｔと連接する。連接ロープ３４の載せ物Ｔに近接する箇所に固定リング３４０が設けられている。
【００２９】
シェイピングリング５０は、剛性を有する材料を採用する。シェイピングリング５０は、内層充気バッグ２０と外層傘マスク３０の底端との間に環設されている。シェイピングリング５０に入気口５１が複数設けられている。
【００３０】
本実施形態に係る落下傘１０の操作について、図５及び図６を参照する。落下傘１０の内層充気バッグ２０と外層傘マスク３０との中心は、同軸心ラインＨに位置する。内層充気バッグ２０は、外層傘マスク３０の充気空間３１内に設けられている。内層充気バッグ２０の外面と外層傘マスク３０の底部との間にシェイピングリング５０が設けられている。
剛性を有する材料を採用するシェイピングリング５０により、外層傘マスク３０は、内層充気バッグ２０を覆い、且つ内層充気バッグ２０と連接する。そして内層充気バッグ２０は、複数の柔軟性付き片２３を介して外層傘マスク３０の内面と連接する。これにより、外層傘マスク３０は、しっかりと均一に広げられる。広げられた外層傘マスク３０の外観は、上方から下方へ徐々に内側へ傾斜する斜面３００を有する。
【００３１】
内層充気バッグ２０の内部にヘリウムが事前に充填されているため、浮き力Ｆが生じる。ヘリウムの密度は外部の空気の密度より大幅に小さいため、内層充気バッグ２０の内部に生じる浮き力Ｆにより、内層充気バッグ２０が適当な高さに浮き上がる。且つ内層充気バッグ２０と外層傘マスク３０との下方に連接されている載せ物Ｔが着陸するときには、外部の空気の上方への気流４０が、シェイピングリング５０の入気口５１から充気空間３１の内部に流れ込んで、別の浮き力Ｆ１が発生する。これにより、気流４０が外層傘マスク３０の充気空間３１の内部に流れ込むため、落下傘を完全に広げることが可能である。
【００３２】
特に、落下傘１０が着陸する過程中に、内層充気バッグ２０と外層傘マスク３０とが、各方向からの気流４０を受けて、左右前後に揺れ、更に、深刻に傾斜するように着陸することを回避するために、内層充気バッグ２０は、複数の柔軟性付き片２３を介して外層傘マスク３０と連接する。これにより、外層傘マスク３０は、広げられ形態が維持され、空気の圧力が内層充気バッグ２０の外部と外層傘マスク３０の内部との間にある充気空間３１に均一に加わることが可能となる。
【００３３】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００３４】
１０  落下傘
２０  内層充気バッグ
２１  ガイド部
２２  規制ロープ
２３  柔軟性付き片
３０  外層傘マスク
３１  充気空間
３２  底端面
３３  エア漏れ口
３４  連接ロープ
４０  気流
５０  シェイピングリング
２１０  円弧面
３００  斜面
３２０、５１  入気口
３４０  固定リング
Ｆ、Ｆ１  浮き力
Ｈ  同軸心ライン
Ｔ  載せ物
【図１】
0006413029.tif 000002
【図２】
0006413029.tif 000003
【図３】
0006413029.tif 000004
【図４】
0006413029.tif 000005
【図５】
0006413029.tif 000006
【図６】
0006413029.tif 000007